(57)【特許請求の範囲】
【請求項１】
電気機器本体と、複数の付属部品とを収容した梱包体であって、前記付属部品の幾つかを同一の収納袋に入れ、該収納袋を付属部品間で１８０度ひねって収納袋内の付属部品収納箇所を複数に分割し、その状態を保持するように、この収納袋を電気機器本体または梱包体の内側に固定したことを特徴とする梱包体。
【請求項２】
前記収納袋をテープ止めにて固定したことを特徴とする請求項１に記載の梱包体。
【請求項３】
前記電気機器は据付板を有する空気調和機の室内機であり、この据付板に前記収納袋を固定したことを特徴とする請求項１または２に記載の梱包体。
【請求項４】
電気機器本体と、複数の付属部品とを梱包する方法であって、  前記付属部品の幾つかを同一の収納袋に入れ、該収納袋を付属部品間で１８０度ひねって収納袋内の付属部品収納箇所を複数に分割し、その状態を保持するように、この収納袋を電気機器本体または梱包体の内側に固定することを特徴とする梱包方法。
【請求項５】
前記収納袋をテープ止めにて固定することを特徴とする請求項４に記載の梱包方法。
【請求項６】
前記電気機器は据付板を有する空気調和機の室内機であり、この据付板に前記収納袋を固定することを特徴とする請求項４または５に記載の梱包方法。
【発明の詳細な説明】
【０００１】
【発明の属する技術分野】
本発明は、電気機器の梱包体に関し、特に電気機器本体と付属部品とを収納する梱包体および梱包方法に関する。
【０００２】
【従来の技術】
従来、例えば、空気調和機の室内機の付属部品は、付属部品箱に収納されて空気調和機本体とともに梱包箱（梱包体）内に収容されている。
【０００３】
図３は従来の空気調和機の梱包箱（梱包体）の一部を外して示した背面図である。図３において、前記室内機１の背面には据付板２が取り付けられ、室内機１の両側部にはそれぞれ凹部を有する発泡梱包材３ａ、３ｂが嵌入されている。据付板２の背面側には付属部品箱４が配置され、この付属部品箱４には、対向する２辺にそれぞれ突出片５ａ、５ｂが形成されており、一方の突出片５ａが据付板２にテープ止めされ、他方の突出片５ｂが据付板２と発泡梱包材３ｂとの間に挿入されている。
【０００４】
図４は付属部品箱の蓋を開けた状態を示す平面図である。図４において、前記付属部品箱４には、リモコン１１、乾電池１２、１２、ウォールキャップ１３ａ、１３ｂ、空気清浄フィルタ１４、印刷物１５及び据付用部品１６、１６・・等がそれぞれ所定の位置に収納されている。これらの付属部品のうち、乾電池１２、１２、ウォールキャップ１３ａ、１３ｂ及び据付用部品１６、１６・・等大きさの小さいものは、散乱しないように同一の収納袋に入れられている。この収納袋１７は、図５に示すように、入口ｅを融着し、かつ中央部分ｆを融着して仕切っており、収納袋１７内を仕切ることによって、搬送中に収納袋１７内の付属部品１２、１３ａ、１３ｂ、１６、１６・・同士が互いにぶつかり合って傷ついたり破損したりしないようにしている。付属部品１１、１２、１２、１３ａ、１３ｂ、１４、１５、１６、１６・・が付属品箱４に収納された後、蓋６が閉められる。
【０００５】
【発明が解決しようとする課題】
しかしながら、上述した付属部品１２、１３ａ、１３ｂ、１６、１６・・は、収納袋１７に仕切って入れられ、かつ付属部品箱４の所定の位置に収納されるようにするため、その梱包作業に手間と時間がかかり、製造コストを高くする一因になっていた。
【０００６】
本発明は上述のような従来の事情に鑑みなされものであり、電気機器の付属部品の梱包
体の製造コストの削減を図ると共に、梱包方法を容易にすることを目的とする。
【０００７】
【課題を解決するための手段】
上記目的を達成するために、請求項１記載の発明は、電気機器本体と、複数の付属部品とを収容した梱包体であって、前記付属部品の幾つかを同一の収納袋に入れ、該収納袋を付属部品間で１８０度ひねって収納袋内の付属部品収納箇所を複数に分割し、その状態を保持するように、この収納袋を電気機器本体または梱包体の内側に固定したことを特徴とする。
【０００８】
請求項２に記載の発明は、前記収納袋をテープ止めにて固定したことを特徴とする。
【０００９】
請求項３に記載の発明は、前記電気機器は据付板を有する空気調和機の室内機であり、この据付板に前記収納袋を固定したことを特徴とする。
【００１０】
請求項４に記載の発明は、電気機器本体と、複数の付属部品とを梱包する方法であって、  前記付属部品の幾つかを同一の収納袋に入れ、該収納袋を付属部品間で１８０度ひねって収納袋内の付属部品収納箇所を複数に分割し、その状態を保持するように、この収納袋を電気機器本体または梱包体の内側に固定することを特徴とする。
【００１１】
請求項５に記載の発明は、前記収納袋をテープ止めにて固定することを特徴とする。
【００１２】
請求項６に記載の発明は、前記電気機器は据付板を有する空気調和機の室内機であり、
この据付板に前記収納袋を固定することを特徴とする。
【００１３】
【発明の実施の形態】
以下、本発明の一実施形態を図面に基づいて説明する。図１は本発明の一実施形態における空気調和機の梱包箱（梱包体）の一部を外して示した背面図、図２は本発明の収納袋を示す平面図である。なお、図３〜図５と同一の構成要素には同一の符号を付して説明する。
【００１４】
図１において、空気調和機の室内機１の背面には、据付板２が取り付けられ、室内機１は、両側部にそれぞれ凹部を有する発泡梱包材３ａ、３ｂが嵌入され、これら両発泡梱包材３ａ、３ｂにわたって横長の段ボール製角筒状の梱包材２１が嵌入される。両発泡梱包材３ａ、３ｂと角筒状の梱包材２１とで梱包箱（梱包体）１０を形成している。
【００１５】
前記据付板２の背面側には、ウォールキャップ１３ａ、１３ｂ、空気清浄フィルタ１４、リモコン１１、乾電池１２、１２、印刷物１５及び据付用部品１６、１６・・等の各種付属部品が配置され固定されている。
【００１６】
前記ウォールキャップ１３ａ、１３ｂは、図２に示すように、ウォールキャップ用の透明な縦長の収納袋２２に入れられ、この収納袋２２はその入口を粘着テープで塞がれている。収納袋２２は中央部ｇを１８０度ひねってその状態を保持し、収納袋２２の長手方向を横切るようにして粘着テープで据付板２に固定している。
【００１７】
前記空気清浄フィルタ１４は収納袋２３に入れられ、収納袋２３の一方の端を粘着テープで据付板２に固定している。
【００１８】
前記印刷物１５は、この印刷物１５の外形寸法に合わせた大きさの印刷物用収納袋２４に入れられており、この収納袋２４にはリモコン用収納袋２５が入れられている。このリモコン用収納袋２５には、前記リモコン１１と、乾電池１２、１２及び据付用部品１６、１６・・とが分割されて入れられ、その分割された部分ｈで１８０度ひねってその状態を保持されている。そして、印刷物用収納袋２４が据付板２と発泡梱包材３ｂとの間に挿入されている。
【００１９】
このように、空気調和機の室内機１の付属部品１１、１２、１２、１３ａ、１３ｂ、１４、１５、１６、１６・・をそれぞれ収納袋２２、２３、２４に入れて据付板２の背面にテープ止めすることにより、従来使用していた付属部品箱を削除することができ、製造コストの低減を図ることができる。
【００２０】
また、大きさの小さい複数の付属部品を入れた収納袋２２、２５は、その途中を分割しその分割した部分ｇ、ｈで１８０度ひねって保持するので、搬送時の振動や揺れ対して付属部品同士が互いにぶつかり合って傷ついたり破損したりしないばかりか、簡単な作業で分割できるので、作業時間の短縮を図ることができる。（従来は収納袋の途中を融着して分割していた。）
以上、一実施形態に基づいて本発明を実施したが、本発明はこれに限定されるものではない。
【００２１】
本実施形態では複数の付属部品を入れた収納袋２２、２５をひねって２つに分割しているが、ひねって３つ以上に分割するようにしても良い。
【００２２】
また、各付属部品を入れた収納袋２２を据付板２の背面にテープ止めしているが、発泡梱包材３ａ、３ｂや室内機１のいずれかの箇所等の据付板２以外の場所に固定するようにしても良い。
【００２３】
また、本実施形態の梱包体及び梱包方法を空気調和機の室内機１で説明しているが、複数の付属部品を具備しこれら付属部品と本体とを一緒に梱包する空気調和機の室内機１以外の電気機器の梱包装置であっても良く、その場合、付属部品の収納袋を梱包体の内側の面に固定するようにしても良い。
【００２４】
【発明の効果】
以上説明したように、電気機器本体と、複数の付属部品とを収容した梱包体であって、前記付属部品の幾つかを同一の収納袋に入れ、該収納袋を付属部品間で１８０度ひねって収納袋内の付属部品収納箇所を複数に分割し、その状態を保持するように、この収納袋を電気機器本体または梱包体の内側に固定したので、簡単な作業で搬送時の揺れや振動に対する部品同士のぶつかり合いを防ぐことができる。複数の付属部品の梱包作業を簡略化したので、作業時間の短縮化と製造コストの低減を図ることができる。
【図面の簡単な説明】
【図１】本発明の一実施形態における空気調和機の梱包箱（梱包体）の一部を外して示した背面図である。
【図２】本発明の収納袋を示す平面図である。
【図３】従来の空気調和機の梱包箱（梱包体）の一部を外して示した背面図である。
【図４】従来の付属部品箱の蓋を開けた状態を示す平面図である。
【図５】従来の収納袋を示す平面図である。
【符号の説明】
１  空気調和機の室内機
２  据付板
１０  梱包体（梱包箱）
１１  リモコン
１２  乾電池
１３ａ、１３ｂ  ウォールキャップ
１４  空気清浄フィルタ
１５  印刷物
１６  据付用部品
２２、２３、２４、２５  収納袋
【図１】
0004386624.tif 000002
【図２】
0004386624.tif 000003
【図３】
0004386624.tif 000004
【図４】
0004386624.tif 000005
【図５】
0004386624.tif 000006